(57)【要約】【課題】簡単かつ低コストで作製することができ、かつ、用紙に印字した情報の改ざんを確実に防止する。【解決手段】本発明の改ざん防止印刷物１は、用紙２に偽造防止印刷として隠し文字１３を印刷し、隠し文字１３の上から重ねて情報を印字した印字部２０を備えており、この印字部２０は網点からなる背景層２１の中に網点を抜いた白抜き部２２によって文字が形成されている。【選択図】図４
2010274614.tif 000002
【特許請求の範囲】
【請求項１】
用紙に情報を印字した印字部を備え、印字部が網点からなる背景層の中に網点を抜いた白抜き部により構成されていることを特徴とする改ざん防止印刷物。
【請求項２】
印字部における背景層が網点のスクリーン線数又は面積比率を変化させた網点グラデーション層からなることを特徴とする請求項１に記載の改ざん防止印刷物。
【請求項３】
印字部が用紙に施された偽造防止印刷層の上に重ねて印字されていることを特徴とする請求項１又は２に記載の改ざん防止印刷物。
【請求項４】
偽造防止印刷層が偏光画像、マイクロ文字、隠し文字のいずれかであることを特徴とする請求項３に記載の改ざん防止印刷物。
【発明の詳細な説明】
【技術分野】
【０００１】
本発明は、用紙に印字した情報の改ざんを防止するための改ざん防止印刷物に関する。
【背景技術】
【０００２】
従来、国民健康保険被保険者証（以下「健康保険証」という）や会員証などのカードを発行する場合に、台紙に切り取り可能に設けられた紙製のカードを有するカード付き帳票を作製し、そのカードにレーザプリンタで必要事項を印字している。カードに印字される情報はカード所有者の個人情報に関するものであり、しかもこの種のカードは本人確認用の身分証明書としても機能するため、印字内容が改ざんの対象になり易い。例えば、上記のようなレーザプリンタで印字された紙製のカードの場合、いわゆるシール剥がし剤などを使ってトナーを剥がし取り、新しい内容に改ざんされる恐れがある。また、印字内容に文字を付け加えて改ざんすることや、トナー部分を削り取って改ざんする部分だけをプリンタで再度印字し直すといったことも考えられる。
【０００３】
そこで、印字された情報の改ざんを防ぐために、印刷物に各種の偽造防止加工を施すのが一般的である。その一例として、例えば下記の特許文献１に開示された可変情報印刷物は、基材の片面に印字枠を設け、その印字枠内に印字される情報の下に印字枠を横切るように帯状のホログラムを施したものであり、印字された情報を貼り替えて改ざんしようとすると、ホログラムに傷が付き、改ざん行為を判別できるようになっている。ところが、特許文献１の印刷物の場合、ホログラムを使用することで確実な改ざん防止効果は得られるものの、ホログラム転写箔の材料費が高価であり、作製時に蒸着工程や熱転写工程といった余計な作業工程が必要になる等の理由により、印刷物の作製コストが高くなってしまうという問題がある。
【先行技術文献】
【特許文献】
【０００４】
【特許文献１】特開２００４−１８８７６５号公報
【発明の概要】
【発明が解決しようとする課題】
【０００５】
本発明は上記のような問題を解決するためになされたものであり、その目的とするところは、簡単かつ低コストで作製することができ、かつ、用紙に印字した情報の改ざんを確実に防止することができる改ざん防止印刷物を提供することにある。
【課題を解決するための手段】
【０００６】
上記の目的を達成するため、本発明の改ざん防止印刷物は、用紙に情報を印字した印字部を備え、印字部が網点からなる背景層の中に網点を抜いた白抜き部により構成されていることを特徴とするものである。ここで、背景層を構成する網点は、できるだけ濃度の高い網点からなるようにする。濃度の高い網点とは、スクリーン線数を多く設定した網点や、面積比率を高く設定した網点のことである。なお、スクリーン線数とは線状に配列した網点の１インチ当たりの数（ｌｐｉ）をいい、スクリーン線数が多いほどピッチが狭くきめ細かな表現が可能になる。面積比率とは用紙の地色部分に対して網点のトナー部分が占める面積の比率（％）をいい、面積比率が低いと濃度が薄い色に認識され、面積比率が高いと濃度が濃い色に認識される。
【０００７】
また、本発明において、背景層は１種類の網点で印刷するのではなく、グラデーションなどの可変デザインにするのが良い。そこで、本発明の改ざん防止印刷物は、印字部における背景層が網点のスクリーン線数又は面積比率を変化させた網点グラデーション層からなることを特徴とするものである。
【０００８】
更に、本発明の改ざん防止印刷物において、印字部が用紙に施された偽造防止印刷層の上に重ねて印字されていることが好ましい。偽造防止印刷層としては、例えば偏光画像、マイクロ文字、隠し文字などが挙げられる。偏光画像はコピー機やスキャナでは認識できないマークを印刷したものであり、マイクロ文字は肉眼では判読できない微細パターンを印刷したものであり、隠し文字は複写不能な小さな網点で印刷した背景の中に複写可能な大きな網点で文字を印刷したものである。
【発明の効果】
【０００９】
本発明の改ざん防止印刷物によれば、印字部を網点印刷で構成することにより簡単かつ低コストで作製することができるとともに、白抜き部に文字を付け加えたり、部分的に背景層を削って再度印字し直したりしても、元の背景層の網点パターンを忠実に再現するのは困難であり、確実な改ざん防止効果が得られる。また、特に印字部を偽造防止印刷層の上に重ねて印字することにより、改ざんが一層困難になるとともに、場合によっては用紙の地色の上に直接印字した場合に比べてコントラストが高くなり、白抜き部による文字の視認性が向上するという効果も得られる。
【図面の簡単な説明】
【００１０】
【図１】本発明の改ざん防止印刷物の外観を示す平面図。
【図２】図１に示すＡ−Ａ線の断面図。
【図３】図１に示すＢ部の拡大平面図。
【図４】図１に示すＣ部の拡大平面図。
【発明を実施するための形態】
【００１１】
以下、本発明の実施の形態について、図面を参照しながら説明する。図１は本発明の改ざん防止印刷物の外観を示す平面図、図２は同印刷物の断面図、図３と図４は同印刷物の拡大平面図である。なお、以下の実施形態ではカード形態の健康保険証を被保険者に送付するカード付き帳票に適用した例を挙げて説明するが、この実施形態はあくまで一例であり、本発明は用紙に印字した情報の改ざんを防止する目的であればこれ以外の用途に適用することも可能である。
【００１２】
図１ではカード付き帳票を単片形態で作製した改ざん防止印刷物１が示されており、この単片形態によると、健康保険証の再発行時のように窓口において健康保険証を卓上レーザプリンタで個別発行する場合に便利である。改ざん防止印刷物１を構成する用紙２は単片用紙からなり、この単片用紙には同図の左側に宛名部３が設けられ、右側にカード部４が設けられている。なお、用紙２は単片用紙に代えて連続用紙で構成されていても良い。
【００１３】
宛名部３は、窓付き封筒に入れた時に健康保険証の送付先を表示する部分であり、用紙２の表面に世帯主の住所・氏名と対象被保険者の氏名を表示する宛先表示欄が予め印刷により表示されている。また、図示しないが、宛名部３に相当する用紙２の裏面には、健康保険証の取り扱いに関する注意事項が印字されている。
【００１４】
カード部４は、利用者が健康保険証として使用する部分であり、カード５を用紙２から切り離せるように、ハーフカット６によってカード５の輪郭が形成されている。カード５の表面には「国民健康保険被保険者証」なる文字のほか、保険者番号や保険者名などの共通記載事項が予め印字されているとともに、被保険者の保険証記号、氏名、性別、生年月日、住所等の情報を印字する情報印字欄が設けられている。なお、カード部４に相当する用紙２の裏面には、印刷時にカード５が用紙２から脱落しないように単片状の剥離紙７が擬似接着されている。
【００１５】
図２に断面構造を示すように、カード５は用紙一体型の紙カードで構成されており、裏面に樹脂フィルムのラミネート加工を施すことによって耐久性を向上させてある。すなわち、用紙２の裏面には接着剤層８によりポリエチレンテレフタレート（ＰＥＴ）等の樹脂フィルム９が接着され、一方、上質紙からなる剥離紙７の表面にも接着剤層８により同じく樹脂フィルム９が接着されている。これらの樹脂フィルム９，９同士は、熱圧着することにより擬似接着面を介して剥離可能に接着されている。また、カード５の輪郭となるハーフカット６は、用紙２の表面から擬似接着面（下層の樹脂フィルム９の表面）まで到達する深さにカットされている。
【００１６】
また、健康保険証が本人確認用の身分証明書として使用されることを考慮して、カード５における用紙２の表面には、健康保険証の複写による偽造を防ぐために３種類の偽造防止印刷層１０が設けられている。
【００１７】
第１の偽造防止印刷層１０は、カード５の右上に設けた偏光画像１１である。偏光画像１１は、コピー機やスキャナでは認識できないマークを印刷したものであり、複写時にそのマークが再現されないように構成されている。
【００１８】
第２の偽造防止印刷層１０は、カード５の周縁部に沿って設けたマイクロ文字１２である。マイクロ文字１２は、図１のように肉眼では点線のようにしか見えないが、これを拡大すると図３に示すように文字や図形等の微細パターン１２ａが印刷されており、コピー機で複写するとこの微細パターン１２ａが潰れて文字を判読できなくなるように構成されている。
【００１９】
第３の偽造防止印刷層１０は、カード５の中央部に設けた隠し文字１３である。隠し文字１３は、図４に示すように複写不能な小さな網点で背景１３ａを印刷し、その中に複写可能な大きな網点で「無効」の文字１３ｂを印刷したものである。なお、図１では説明の便宜上「無効」の文字１３ｂを判読できるように表わしてあるが、実際には「無効」の文字１３ｂは背景１３ａの中に埋没して判読困難であり、コピー機で複写すると「無効」の文字１３ｂだけが複写されて浮き上がるように構成されている。
【００２０】
そして、図１において、上記の偽造防止印刷層１０が施されたカード５の表面には、レーザプリンタによって、情報印字欄に被保険者の保険証記号、氏名、性別、生年月日、住所等の情報を印字した印字部２０が設けられる。この印字部２０は被保険者の個人情報に関わるものであるため、容易に改ざんされるのを防止しなければならない。そこで本実施形態では、３種類の偽造防止印刷層１０のうち、隠し文字１３の上に重なるように印字部２０を印字することにより、改ざんを困難なものにしている。
【００２１】
図４に詳細に示したように、印字部２０は、網点により背景層２１を印刷し、その背景層２１の中に網点を抜いた白抜き部２２で文字を形成したものである。ここで、背景層２１はできるだけ密度の高い網点、つまりスクリーン線数が多く、面積比率が高い網点で構成されるようにする。ここで、より具体的には、面積比率を２０〜８０％の範囲内に設定するのが好ましい。面積比率が２０％未満であると白抜き部２２の文字を認識しづらくなり、８０％を超えるとベタ印刷に近づいて改ざんがしやすくなるからである。すなわち、背景層２１を網点印刷ではなくベタ印刷して白抜き部２２を形成すると、逆に白抜き部２２を塗り潰すことにより改ざんが可能になってしまうので避けるべきである。
【００２２】
また、印字部２０の改ざんをより困難にするため、背景層２１は１種類の網点印刷ではなく、グラデーションなどの可変デザインにするのが好ましい。そこで本実施形態では、網点のスクリーン線数を同じにして、後方に移行するに従って網点の面積比率が徐々に小さくなるように設定することにより、背景層２１は、面積比率の異なる３段階の網点２１ａ，２１ｂ，２１ｃからなる、いわゆる網点グラデーション層により構成されている。ここで、背景層２１を網点グラデーション層にする場合には、スクリーン線数を５０〜２００ｌｐｉの範囲内に設定するのが好ましい。スクリーン線数が５０ｌｐｉ未満であると網点が粗くて品質や改ざん防止効果が低下し、２００ｌｐｉを超えると網点が高精細で高度な印刷環境が必要になるからである。また、網点グラデーション層にする場合には、網点比率を上記の範囲よりも広い５〜１００％の範囲内で変化させることができる。なお、網点のスクリーン線数を変化させて印字しても良い。
【００２３】
以上の構成から明らかなように、本実施形態の改ざん防止印刷物１においては、カード５に印字された印字部２０を例えばシール剥がし剤で剥がして文字を改ざんしようとしても、背景層２１のトナーと一緒に隠し文字１３のトナーも剥がれてしまうため、背景層２１のトナーだけを剥がすのは困難である。また、白抜き部２２に文字を付け加えて改ざんしようとした場合、付け加えた部分により元の背景層２１の網点デザインとの連続性が途切れてしまうので、改ざんされたことを容易に判別することができる。更に、トナーを削って改ざんする部分だけをプリンタで再度印字し直したとしても、紙面に残された隠し文字１３を構成する網点（背景１３ａ，文字１３ｂ）と印字部２０を構成する背景層２１の網点の両方を忠実に再現することはほぼ不可能である。
【００２４】
したがって、本実施形態の改ざん防止印刷物１によれば、カード５の情報印字欄に印字される被保険者に関する個人情報の改ざんを確実に防止することができる。なお、本実施形態では、印字部２０を隠し文字１３の上に重なるように印字したが、これに代えて、偏光画像１１やマイクロ文字１２などその他の偽造防止印刷層１０の上に重なるように印字しても良い。このように偽造防止印刷層１０の上に印字部２０を印字すると、偽造防止印刷層１０のパターンや色によっては背景層２１と白抜き部２２とのコントラストが高くなり、白抜き部２２による文字の視認性を向上させることもできる。
【符号の説明】
【００２５】
１…改ざん防止印刷物
２…用紙
３…宛名部
４…カード部
５…カード
６…ハーフカット
７…剥離紙
８…接着剤層
９…樹脂フィルム
１０…偽造防止印刷層
１１…偏光画像
１２…マイクロ文字
１３…隠し文字
２０…印字部
２１…背景層（網点グラデーション層）
２２…白抜き部
【図１】
2010274614.tif 000003
【図２】
2010274614.tif 000004
【図３】
2010274614.tif 000005
【図４】
2010274614.tif 000006